(57)【要約】      （修正有）【課題】比較的厚手で強固に密着してスマートフォン等の薄型の電子機器に装着されたカバーであっても、簡単に取外すことができる電子機器等のカバーの取外し補助具を提供する。【解決手段】握り部１の先端に、扁平でかつ先端ほど厚みが薄くなるテーパ４を有する差込部２を形成した。また差込部２の幅が先端ほど細くし、握り部１と差込部２が軟質樹脂で一体に形成しておくとより好ましい。【選択図】図２
0003195762.tif 000002
【実用新案登録請求の範囲】
【請求項１】
握り部１の先端に、扁平でかつ先端ほど厚みが薄くなるテーパ４を有する差込部２を形成した電子機器等のカバーの取外し補助具。
【請求項２】
差込部２の幅が先端ほど細くなった請求項１に記載の電子機器等のカバーの取外し補助具。
【請求項３】
握り部１と差込部２が軟質合成樹脂素材で一体に形成された請求項１又は２に記載の電子機器等のカバーの取外し補助具。
【考案の詳細な説明】
【技術分野】
【０００１】
本考案はスマートフォン、タブレット、携帯電話等の薄型電子機器の裏面、側縁及び表面の周縁に強固に密着して覆う比較的硬質で分厚いカバーであっても、簡単に取外すことができるカバーの取外し補助具に関するものである。
【背景技術】
【０００２】
携帯電話やスマートフォン等の薄型の電子機器は携行することが多いので、従来、機器保護のため、一般にその背面と周辺縁部および前面の操作面以外の周辺部をシリコン樹脂のような軟質樹脂製のカバーで覆っていた。そのような軟質で薄いカバーの場合は指先で摘まんで簡単にカバーを外すことが可能であった。
【０００３】
ところが最近のこの種の電子機器は、更に薄型化が進むと共に、表面も大部分がタッチ機能に対応させ、且つ画面表示を効率良く発揮させるために、カバーを施す場合、実質的に表面を額縁的に覆うことができなくなってきており、カバーは裏面と側縁のみを覆うことが要求されてきている。この場合、薄い軟質素材のカバーでは、従来のような額縁部による引っ掛かりがないので、カバーが外れやすい欠点がある。そのため、厚手の素材でガッシリと電子機器の裏面と側縁のみを覆うことにより、外れ難いカバーが要求されてきている。
【０００４】
したがって、そのようなカバーは、一旦装着してしまうと、電子機器に締め付けられている状態になっているため、外し難くなっていて、比較的薄い素材であれば端を指で摘むと素材が容易に伸びて外すことができるが、比較的厚い素材では、指で摘もうとしても摘み難く、簡単には外せない。そのような場合は、例えばマイナスドライバーの先を差込んで外すことも考えられるが、高価な電子機器の表面を傷つけてしまう惧れがあった。
【０００５】
本考案は、そのような厚くて強固に装着されたカバーでも簡単に取り外し、汚損した場合は勿論、ファッションに応じて着替えるようにカバーも交換したい場合も多いので、そのような時に、力の弱い女性やお年寄りでも簡単に交換できるようにしたいと考え、本考案の完成に至ったものである。
【考案の開示】
【考案が解決しようとする課題】
【０００６】
本考案は、一旦装着すると、容易に外せない電子機器等のカバーを比較的簡単に取外して、硬質で厚いカバーを簡単に交換できるようにするための電子機器等のカバーの取外し補助具を提供するものである。
【課題を解決するための手段】
【０００７】
本考案の主たる特徴は、握り部１の先端に、扁平でかつ先端ほど厚みが薄くなったテーパ４を有する差込部２を形成したことであり、第２は、差込部２の幅が先端ほど細くなったことであり、第３は、握り部１と差込部２を軟質合成樹脂素材で一体に形成したことである。
【考案の効果】
【０００８】
本考案にあっては上述のようにしたから、カバー５で電子機器１０を覆うようにした場合で、カバー５が汚損した場合や、ファッションに合わせてカバー５も取り換えたい時に、先端ほど厚みが薄いテーパ４を有する差込部２をカバー５の側縁欠落部６において、電子機器１０の裏面とカバー５の底面部７との境目に差込み、押込むことにより、テーパ４による楔効果でカバー５の底面部７より電子機器１０の裏面を浮かせ、これにより、カバー５を簡単に取り外すことができるのである。しかも差込部２は扁平であるので、その厚みに比して十分な幅があって、カバー５と電子機器１０との隙間には、十分に広い幅において、少しずつ押込まれることになり、ドライバーの先のように局所的に過重な力が加わることも抑制できて、取外しに際して電子機器１０の外面のみならず、デリケートな内部構造に歪による損傷を与えることも防止できる。
【０００９】
ここで差込部２の幅が先端ほど細くしておくと、差込部２の幅を広めにした場合でも上記境目への差込みが容易となるものである。また角部に丸み３を施しておくと、電子機器１の裏面に対する当たりが更にソフトになって、傷を付けることが一層低減されて、安心してカバー５を電子機器１０から取外せる。また、握り部１を差込部２と軟質合成樹脂素材、例えばポリエチレン、ポリプロピレン、アクリル、塩化ビニル、やや硬質のシリコン等で一体成形しておくと、高価な電子機器１０を傷つけることが抑制できると共に、製造が簡単で極めて安価に提供できる。また、差込部２はその他、木質系素材や、表面を軟質樹脂でコーティングした金属でも構わない。
【考案を実施するための最良の形態】
【００１０】
図１、図２は本考案の一実施例の概略を示すもので、扁平な握り部１の先端に、扁平でかつ先端ほど厚みが薄くなるテーパ４を施すと共に、幅も先が細くなった差込部２を配置し、好ましくは、全体を軟質素材で形成したものであり、また差込部２の角部は丸み３を付けておくことが望ましい。ここで握り部１及び差込部２を含めた全長は、対応するカバー５の横幅と略同等程度又はそれ以上の寸法であることが好ましいが、少なくともカバー５の横幅の半分程度の寸法が必要である。また厚みは、カバー５の底面部７と電子機器１０の裏面との間に差し込んだ時に、電子機器１０がカバー５の底面７より十分に浮き上がり、戻されない程度の厚み、例えば３．５ミリ程度とするのが好ましいが、これに限定されない。更に差込部２の幅は一番広い所で電子機器１０の厚みの少なくとも２倍程度以上であることが好ましい。
【００１１】
尚、全体形状は、略短冊状としたが、楕円、長円、他の多角形等、任意に設定できる。差込部２のテーパ４は、図示例では片面のみに施したが、両面に施しても構わない。また、握り部１を別体とすれば、大型の電子機器１０の強固なカバー５の取外しにも適用できる。
【００１２】
他方、電子機器１０に対応するカバー５は、底面部７の周辺に立ち上がる側縁８が電子機器１０の周縁に密着して覆うと共に、必要な場合は図３、図４のように側縁８先端の微細な折り返し部９でロックが掛かるようにしているが、電子機器１０の周辺に配置されたスイッチ部、接続部、スピーカ、カメラレンズ等を覆わないように側縁欠落部６が適所に配置されている。図示例では、図３のように上下に略全幅に亘り切り欠かれた側縁欠落部６、６が配置され、左右上方部には幅狭い側縁切欠部６、６が配置されていて、左上角が幅狭側縁８Ａとなっている。
【００１３】
（作用の説明）
電子機器１０に装着したカバー５を外したい場合は、図示例では、上記幅狭側縁８Ａに近接する上部の側縁欠落部８から左上の側縁欠落部８に向けて（図５の矢印Ｂ方向）本考案補助具の先端の差込部２を差し込むことにより作業を開始する。
【００１４】
差し込むに連れ、差込部２のテーパ４により、電子機器１０の一部が浮き上がり始め、カバー５の底面部７より電子機器１０の裏面の一部が離れ、更に押し込みを続けると、図６のように差込部２の先端が左上の側縁欠落部６に到達するか、接近すると、カバー５はＸ点を中心に電子機器１０の角部に填まっていた幅狭側縁８Ａが矢印Ｙ方向に回転して離脱状態となって、カバー５より電子機器１０の左上端が外れる。この状態では、本考案の補助具を抜き去っても、その一部離脱状態が保持される。ここで図７のように本考案補助具の差込部２の先端を下方の側縁欠落部６に押し込むと、今度はその下方の側縁欠落部６の左に近接する側縁８の角部８Ｂも外れ（図８参照）、電子機器１０の左側全体がカバー５より外れ、後は指先で摘まんで簡単に両者を分離できるのである。尚、上記手順は一例を示すもので、他の側縁欠落部６に差込部２を差し込んで外しても構わない。
【産業上の利用可能性】
【００１５】
スマートフォンやタブレット等の薄型の電子機器１０の保護や装飾のためのカバー５において、比較的厚く、一旦装着されると容易に外せないものであっても、本考案の補助具を使えば、指先の力が弱い女性や子供、お年寄りであっても、容易にカバーを外すことができるものであって、汚損した場合や、お洒落するようにカバーも取り換えたい要望に簡単に対応できるものである。殊に最近の女性は爪にマニキュアをすることが多いが、そのような場合でも、ネイルマニキュアを気にすることなく容易にカバーを外すことができるものである。しかもマイナスドライバーを差し込む場合のように、電子機器、カバーのいずれも損傷することもない。
【００１６】
また、強固に密着して保護するカバーは、今まで、一旦填めてしまうと取外しが困難であったので、カバーを色々取り換えて楽しみたい人は、今までは諦めていたが、今後はハードカバーの使用を躊躇うことがなくなり、ハードカバーのバリエーション拡大にも寄与できる。
【図面の簡単な説明】
【００１７】
【図１】本考案の一実施例の平面図。
【図２】同上の断面図。
【図３】本考案を適用する電子機器とカバーの一例の取外した状態の斜視図。
【図４】同上の両者を装着した状態であって、図３のＡ-Ａ線位置での断面図
【図５】同上の両者を装着した状態と本考案補助具の最初の差込位置を示す斜視図。
【図６】本考案の補助具の差込部の先端を差込んでカバーの左角を外した状態の斜視図。
【図７】同上の差込部を更に別の側縁欠落部６押込んだ状態の斜視図。
【図８】同上のカバーが外れた状態の斜視図。
【符号の説明】
【００１８】
１は握り部、２は差込部、３は丸み、４はテーパ。
【図１】
0003195762.tif 000003
【図４】
0003195762.tif 000004
【図２】
0003195762.tif 000005
【図３】
0003195762.tif 000006
【図５】
0003195762.tif 000007
【図６】
0003195762.tif 000008
【図７】
0003195762.tif 000009
【図８】
0003195762.tif 000010